(57)【要約】【課題】煩雑な取付台紙の切り取り作業を省略でき、繰り返し使用が可能で使い勝手と経済性及び環境性とを兼ね備えたゴミ収容バッグを提供する。【解決手段】上記課題を解決するために、本考案のゴミ収容バッグ１は吸引したゴミＡを収容するバッグ本体５と、バッグ本体５のゴミＡの取入れ口７側に設けられる着脱手段９と、バッグ本体５のゴミＡの排出口１１側に設けられる開閉構造１３とを備えており、このうち着脱手段９は、一対の面ファスナ２１、２３によって構成されていて、一方の面ファスナ２１は電気掃除機３に対して係止状態で取り付けられる取付台紙２５に貼設され、他方の面ファスナ２３はバッグ本体５のゴミＡの取入れ口７の周囲に設けられている。【選択図】        図２
0003114923.tif 000002
【実用新案登録請求の範囲】
【請求項１】
使い捨てタイプのゴミ収容バッグに対応した電気掃除機に適用し得る着脱式で繰り返し使用可能なゴミ収容バッグにおいて、該ゴミ収容バッグは吸引したゴミを収容するバッグ本体と、バッグ本体のゴミの取入れ口側に設けられる着脱手段と、バッグ本体のゴミの排出口側に設けられる開閉構造とを備えており、前記着脱手段は、着脱自在に連結可能な連結部と被連結部とから構成されていて、連結部と被連結部の一方は電気掃除機に対して係止状態で備えられる取付台紙に取り付けられ、他方はバッグ本体のゴミの取入れ口の周囲に取り付けられることを特徴とするゴミ収容バッグ。
【請求項２】
請求項１に記載したゴミ収容バッグにおいて、前記バッグ本体は収容したゴミが付着しにくく、洗濯が可能な材料によって形成されていることを特徴とするゴミ収容バッグ。
【請求項３】
請求項１または２に記載したゴミ収容バッグにおいて、前記取付台紙は使用済みの使い捨てタイプのゴミ収容バッグにおいて使用されていたものをそのまま再利用するようにしたことを特徴とするゴミ収容バッグ。
【請求項４】
請求項１〜３のいずれか１項に記載したゴミ収容バッグにおいて、前記開閉構造は、係合スライド式のファスナによって構成されており、該ファスナの近傍にはファスナに対するゴミの付着を防止するための防塵カバーが設けられていることを特徴とするゴミ収容バッグ。
【考案の詳細な説明】
【技術分野】
【０００１】
本考案は、紙製の使い捨てタイプのゴミ収容バッグに対応した電気掃除機に対して適用し得る着脱式で繰り返し使用可能なゴミ収容バッグに関するものである。
【背景技術】
【０００２】
電気掃除機の多くは紙製の使い捨てタイプのゴミ収容バッグを使用している。このゴミ収容バッグは、電気掃除機に取り付けるための取付台紙と、取付台紙に対して貼設されるバッグ本体とを備えた構造になっている。
【０００３】
しかし電気掃除機の構造はメーカー各社によってそれぞれ異なっており、上記取付台紙の形状もメーカー各社によって相違していた。そこで最近では多数のメーカーの電気掃除機に対して取り付けることのできるゴミ収容バッグも登場してきている。このゴミ収容バッグは取付台紙に複数のミシン目が予め入れられており、バッグ本体等に印刷されている説明図等に従って上記ミシン目に沿って不要部分を切り取ることによって、対応したメーカーの取付台紙の形状にするというものである。
【０００４】
しかしながら、ゴミ収容バッグの交換の都度、取付台紙の上記不要部分の切り取り作業を行わなければならず、煩わしい作業となっていた。また取付台紙は厚口の板紙によって構成されており、繰り返しの使用にも十分耐えられるだけの剛性を有しているにも拘らず一回ごとの使用で廃棄されていた。また吸引したゴミといっしょにゴミ収容バッグを廃棄するという使用形態は資源の無駄遣いである。
【考案の開示】
【考案が解決しようとする課題】
【０００５】
本考案は、上記の背景技術が抱えていた問題点の存在を踏まえてなされたものであって、使用済みの取付台紙の再利用と該再利用を通じて煩雑な取付台紙の切り取り作業を省略することができ、更に繰り返し使用することで資源の有効利用とゴミの減少にも寄与することができる使い勝手と経済性及び環境性とを兼ね備えたゴミ収容バッグを提供することを課題とするものである。
【課題を解決するための手段】
【０００６】
上記課題を解決するために請求項１に記載した考案は、使い捨てタイプのゴミ収容バッグに対応した電気掃除機に適用し得る着脱式で繰り返し使用可能なゴミ収容バッグにおいて、該ゴミ収容バッグは吸引したゴミを収容するバッグ本体と、バッグ本体のゴミの取入れ口側に設けられる着脱手段と、バッグ本体のゴミの排出口側に設けられる開閉構造とを備えており、前記着脱手段は、着脱自在に連結可能な連結部と被連結部とから構成されていて、連結部と被連結部の一方は電気掃除機に対して係止状態で備えられる取付台紙に取り付けられ、他方はバッグ本体のゴミの取入れ口の周囲に取り付けられることを特徴とするゴミ収容バッグである。
【０００７】
請求項２に記載した考案は、請求項１に記載したゴミ収容バッグにおいて、前記バッグ本体は収容したゴミが付着しにくく、洗濯が可能な材料によって形成されていることを特徴とするゴミ収容バッグである。
【０００８】
請求項３に記載した考案は、請求項１または２に記載したゴミ収容バッグにおいて、前記取付台紙は使用済みの使い捨てタイプのゴミ収容バッグにおいて使用されていたものをそのまま再利用するようにしたことを特徴とするゴミ収容バッグである。
【０００９】
請求項４に記載した考案は、請求項１〜３のいずれか１項に記載したゴミ収容バッグにおいて、前記開閉構造は、係合スライド式のファスナによって構成されており、該ファスナの近傍にはファスナに対するゴミの付着を防止するための防塵カバーが設けられていることを特徴とするゴミ収容バッグである。
【考案の効果】
【００１０】
本考案のゴミ収容バッグによれば、バッグ本体からゴミのみを排出することができるから、ゴミ収容バッグを繰り返して使用することができる。
また、使用済みの取付台紙の再利用が可能となり、従来ゴミ収容バッグの交換のその都度行っていた取付台紙の面倒な切り取り作業は不要となる。従って使い勝手が向上し、資源の有効利用とゴミの減少が図れ、経済性と環境性とを兼ね備えたゴミ収容バッグを提供することが可能となる。
【考案を実施するための最良の形態】
【００１１】
本願考案に係るゴミ収容バッグ１は、紙製の使い捨てタイプのゴミ収容バッグに対応した電気掃除機３を適用対象とし、当該ゴミ収容バッグに替えて使用することのできる着脱式で繰り返し使用可能な電気掃除機３用のゴミＡの収容を目的とした袋状の部材である。
以下、下記に示す実施の形態１を例に採って、本願考案に係るゴミ収容バッグ１について図面に基づいて具体的に説明する。
【００１２】
本考案に係るゴミ収容バッグ１は電気掃除機３によって吸引したゴミＡを収容するバッグ本体５と、該バッグ本体５のゴミＡの取入れ口７側に設けられる着脱手段９と、バッグ本体５のゴミＡの排出口１１側に設けられる開閉構造１３とを備えている。
バッグ本体５は収容したゴミＡが付着しにくく、洗濯が可能な材料でゴミＡを確実に捕捉でき、しかも電気掃除機３の吸引風の流入が可能な通気性を有する材料、例えばナイロン等が使用できる。
【００１３】
バッグ本体５は上端面部１５、側周面部１７及び防塵カバー１９を構成する３枚の布地を縫製加工することによって形成されている。上端面部１５は一例として横に長い偏平な６角形状をしており、その中心には上述したゴミＡの取入れ口７が形成されている。
取入れ口７は円形をしており、その周囲の上面には着脱手段９の一部の構成部材である円環状の面ファスナ２３が縫製加工によって取り付けられている。
【００１４】
側周面部１７は横長の長方形状の布地における左右の側辺を縫い合わせることによって筒状に形成される部分である。また側周面部１７の上辺は上端面部１５の６つの周辺に対して縫製加工されており、側周面部１７の下辺は開放されていて収容したゴミＡの排出口１１になっている。
防塵カバー１９は一例として横長の短冊状の布地における左右の側辺を縫い合わせることによって筒状に形成される部分であり、側周面部１７における排出口１１の近傍に設けられている。尚、防塵カバー１９の作用を含めたこれ以上の詳細は後述する開閉構造１３の説明の中で併せて説明する。
【００１５】
着脱手段９は、一対の面ファスナ２１、２３によって構成されていて、一方の面ファスナ２１は電気掃除機３に対して係止状態で取り付けられる取付台紙２５に対して両面接着テープ等を使用して貼設されて取り付けられている。また他方の面ファスナ２３はバッグ本体５における上端面部１５の取入れ口７の周囲に一例として縫製加工によって取り付けられている。
面ファスナ２１、２３はほぼ同一形状、同一サイズの円環状の部材である。連結部としての一方の面ファスナ２１は雄側であり、その接合面にはフック状の係合作用片が多数稙設されている。また、被連結部としての他方の面ファスナ２３は雌側であり、その接合面にはループ状の係合作用片が多数植設されている。
尚、面ファスナ２３を取付台紙２５側に、面ファスナ２１を取入れ口７側に取り付けてもよい。
【００１６】
取付台紙２５は比較的厚口で剛性のある板紙によって形成されており、取付台紙２５には使用する電気掃除機３の取付部位の形状に合わせて不要部分２７を切り取ることができるようにミシン目２９が複数本形成されている。
取付台紙２５の中央には電気掃除機３の吸引ホース３１の取付基部３３との気密性を高めるためのシールスポンジ３５と、吸引ホース３１を通って本考案のゴミ収容バッグ１内にゴミＡを導くための開口３７とが設けられている。
【００１７】
また取付台紙２５としては使用済みの紙製のゴミ収容バッグ５１において使用されていたものをそのまま利用することが可能である。今まで使用していた取付台紙２５であれば不要部分２７を切り取ることなくそのまま使用することが可能であり、ゴミＡがいっぱいに詰まった紙製のゴミ収容バッグ５１におけるバッグ本体５３を取付台紙２５から切り離すだけで本考案のゴミ収容バッグ１に使用する取付台紙２５として利用することができる。
【００１８】
開閉構造１３は、縫製加工の分野で数多く使用されている係合スライド式の金属製あるいはプラスチック製の各種のファスナ３９によって構成されている。そしてこのファスナ３９はバッグ本体５における排出口１１に対して取り付けられ、ファスナ３９のスライダを適宜移動させることによって排出口１１の開閉の切り替えを行っている。
またファスナ３９の近傍の上部には上述した防塵カバー１９が設けられている。防塵カバー１９はファスナ３９に対するゴミＡの付着を防止する作用を奏する部材であり、バッグ本体５における側周面部１７の内側の面に一例として縫製加工によって取り付けられている。
防塵カバー１９は上辺部がバッグ本体５に対して縫製加工されており、下辺部が上記ファスナ３９の近傍に臨むように垂れ下がり姿勢で設けられている。
【００１９】
次に本考案のゴミ収容バッグ１の（１）取り付け時の手順と、（２）取り外し時の手順について説明する。
（１）取り付け時の手順（図６（ａ）〜（ｄ）参照）
最初に図６（ａ）に示すように電気掃除機に取り付けられている紙製のゴミ収容バッグ５１を取り外し、ゴミＡがいっぱいに詰まったバッグ本体５３を取付台紙２５から切り離す。切り離したバッグ本体５３はそのまま廃棄し、取付台紙２５のみを再利用する。
【００２０】
即ち図６（ｂ）に示すように取付台紙２５の当初のバッグ本体５３が取り付けられていた面の中心の開口３７を囲むように面ファスナ２１を貼設し、図６（ｃ）に示すように係合スライド式のファスナ３９を閉めたバッグ本体５における上端面部１５に設けられる面ファスナ２３と密着させ係合して連結する。
そして当初使用していた紙製のゴミ収容バッグ５１と同様、図６（ｄ）に示すように本考案のゴミ収容バッグ１を電気掃除機３に対して取り付ける。尚、取付台紙２５は当初使用していたものを再利用したものであるから使用している電気掃除機３に合わせて不要部分２７を切り取るという煩わしい作業を行うことなく、そのまま電気掃除機３に対して取り付けることができる。
【００２１】
（２）取り外し時の手順（図７（ａ）〜（ｃ）参照）
バッグ本体５内のゴミＡがいっぱいになったら図７（ａ）に示すように電気掃除機３から本考案のゴミ収容バッグ１を取り外し、図７（ｂ）に示すように係合スライド式のファスナ３９を開いて図７（ｃ）に示すように排出口１１からゴミＡを排出する。
この際、バッグ本体５における側周面部１７の内側の面には防塵カバー１９が設けられているから、バッグ本体５内のゴミ等は係合スライド式のファスナ３９に触れることなく防塵カバー１９に案内されて外部に排出される。従って、係合スライド式のファスナ３９にゴミＡが詰まるのを防止でき、係合スライド式のファスナ３９の動きが悪くなることもない。
【００２２】
以上、本考案を実施するための最良の形態とその一例である実施の形態１について詳述してきたが、具体的な構成は上述した構成に限られるものではなく、本考案の要旨を逸脱しない範囲内の一部構成の変更などがあっても本考案に含まれる。
例えば、バッグ本体５の材料はナイロンに限らず同様の作用を奏する他の種々の材料が適用可能である。
また、着脱自在な連結手段として面ファスナ２１、２３の他、繰り返し使用可能な粘着材等を使用することも可能である。
面ファスナ２１、２３の形状は、円環状に限らず角環状のものでもよく、ゴミＡの飛散が生じない範囲で周方向に分断された形状の面ファスナ２１、２３を採用することも可能である。また開閉構造１３として面ファスナやホック等を採用することも可能である。
また取付台紙２５を付属品として本考案のゴミ収容バッグ１に含めることも可能である。
【産業上の利用可能性】
【００２３】
本考案は紙製のゴミ収容バッグ対応の電気掃除機において適用でき、紙製のゴミ収容バッグに代わる繰り返し使用が可能なゴミ収容バッグの製造分野等において利用できる。
【図面の簡単な説明】
【００２４】
【図１】本考案の実施の形態１に係るゴミ収容バッグを装着した電気掃除機を示す斜視図である。
【図２】本考案の実施の形態１に係るゴミ収容バッグを示す分解斜視図である。
【図３】本考案の実施の形態１に係るゴミ収容バッグを示す正面図である。
【図４】本考案の実施の形態１に係るゴミ収容バッグを示す平面図である。
【図５】本考案の実施の形態１に係るゴミ収容バッグを示す底面図である。
【図６】本考案の実施の形態１に係るゴミ収容バッグの取り付け時の手順（ａ）〜（ｄ）を示す説明図である。
【図７】本考案の実施の形態１に係るゴミ収容バッグの取り外し時の手順（ａ）〜（ｃ）を示す説明図である。
【符号の説明】
【００２５】
１  ゴミ収容バッグ                  ３  電気掃除機
５  バッグ本体                      ７  取入れ口
９  着脱手段                      １１  排出口
１３  開閉構造                      １５  上端面部
１７  側周面部                      １９  防塵カバー
２１  面ファスナ（取付台紙側の）    ２３  面ファスナ（取入れ口側の）
２５  取付台紙                      ２７  不要部分
２９  ミシン目                      ３１  吸引ホース
３３  取付基部                      ３５  シールスポンジ
３７  開口                          ３９  （係合スライド式の）ファスナ
５１  （紙製の）ゴミ収容バッグ          ５３  バッグ本体
Ａ  ゴミ
【図１】
0003114923.tif 000003
【図２】
0003114923.tif 000004
【図３】
0003114923.tif 000005
【図４】
0003114923.tif 000006
【図５】
0003114923.tif 000007
【図６】
0003114923.tif 000008
【図７】
0003114923.tif 000009